(57)【要約】【課題】  建物の玄関側の外壁に装着しているパネルにおける表札配設凹部に表札を見栄え良く簡単に取付けることができる表札装着用台板を提供する。【解決手段】  表札取付け用プレート３の後面に一定厚みを有するスペーサ部材２を介して横長長方形状の支持プレート１を固着し、この支持プレート１をパネル10における表札配設凹部12内に挿入して、スペーサ部材２の下端面と支持プレート１及び表札取付け用プレート３の下端部対向面間によって形成している係合溝７に表札配設凹部12の下端壁部10b'を挿嵌させることにより固定し、表札配設凹部12から前方に突出している表札取付け用プレート３の前面の表札取付面に所望大きさ、所望厚みを有する表札Ｂを取付けるように構成している。【選択図】    図６
2006162845.tif 000002
【特許請求の範囲】
【請求項１】
建物の玄関等の外壁に装着したパネルにおける表札配設凹部内に取り付ける支持プレートと、この支持プレートの前面にスペーサ部材を介して固着され且つ前面を表札取付面に形成している表札取付け用プレートとからなり、上記支持プレートを上記表札配設凹部内に配設した状態で固定すると共に、表札取付け用プレートを上記パネルの前面から前方に突設させた状態で取付けるように構成していることを特徴とする表札装着用台板。
【請求項２】
表札取付け用プレートは、その縦幅及び横幅を表札の縦幅及び横幅よりも小寸法に形成していると共に、その下端に表札の下端面を受止する前方に向かった屈折した水平支持片を形成していることを特徴とする請求項１に記載の表札装着用台板。
【請求項３】
支持プレートは、その縦幅をパネルにおける表札配設凹部の前端開口部の縦幅よりも大きく、且つ、横幅を該表札配設凹部の横幅に略等しい寸法に形成していると共に、この支持プレートの上下端部を上記表札配設凹部の上下対向端面に設けている上下水平凹溝に挿入することによって取付けるように構成していることを特徴とする請求項１に記載の表札装着用台板。
【請求項４】
スペーサ部材は支持プレート及び表札取付け用プレートよりも縦幅及び横幅共に小さい一定厚みを有する板材からなり、このスペーサ部材の前面に固着した表札取付け用プレートの下端部を後面に固着した支持プレートの下端部よりも下方に突出させていると共に、スペーサ部材の下端面とこの下端面から下方に突出している表札取付け用プレート及び支持プレートとの対向面とで下向きに開口した係合溝を形成してこの係合溝に上記表札配設凹部の開口端における下端壁部の上端部を挿嵌させた状態で取付けるように構成していることを特徴とする請求項１、請求項２又は請求項３に記載の表札装着用台板。
【発明の詳細な説明】
【技術分野】
【０００１】
本発明は、マンション或いは一戸建て住宅等の建物における玄関近傍の外壁に装着されたパネルに表札を取付けるための表札装着用台板に関するものである。
【背景技術】
【０００２】
周知のように、マンション或いは一戸建て住宅等の建物における玄関近傍部分の外壁には、照明具やインターホン、表札等を一体的に設けるための縦長長方形状のパネルが装着されてあり、このパネルの上端部に上記照明具を取付けてその下方側に配設した表札やインターホンを照明するように構成している。このように構成したパネルにおいて、表札の取付け構造としては、従来から、例えば、特許文献１や特許文献２に記載されているように、パネルにおける上記照明具装着部分の下方に横長長方形状の表札取付け用凹部を設けてこの凹部内に表札を嵌め込み、ネジ等により固定している。
【特許文献１】特開平８−２９９１５３号公報
【特許文献２】特開平９−１９５４８０号公報
【発明の開示】
【発明が解決しようとする課題】
【０００３】
しかしながら、上記のような表札の取付け構造では、表札がパネルの表札取付け用凹部内に没入状態で取付けられるために、比較的目立ち難くなると共に夜間においては照明具からの光が十分に当たらなくて名前が見えにくくなる虞れがあり、さらに、この表札の大きさや厚みは上記凹部内に収納可能な寸法に形成しておかねばならないために、氏名の記入面積が狭くて且つ厚みが薄くなり、外観的にも見栄えが悪くなってパネルと調和した豪華さを発揮させることができないといった問題点がある。
【０００４】
また、表札を上記パネルの取付け用凹部内にネジ等によって固着させる場合には、上下左右に妄動して正確に取付けるには熟練を要するばかりでなく、パネルに対して表札の取付け作業を、直接現場において行わなければならないために、施工性が悪いといった問題点があった。
【０００５】
本発明はこのような問題点に鑑みてなされたもので、その目的とするところは、建物にの玄関近傍部分の外壁に装着したパネルにおける表札配設凹部に、この凹部の開口面積や深さに制限を受けることなく所望厚みと大きさを有する表札を該凹部から外側に突出させた状態で簡単且つ正確に取付けることができる表札装着用台板を提供するにある。
【課題を解決するための手段】
【０００６】
上記目的を達成するために、本発明の表札装着用台板は、請求項１に記載したように、建物の玄関等の外壁に装着したパネルにおける表札配設凹部内に取り付ける支持プレートと、この支持プレートの前面にスペーサ部材を介して固着され且つ前面を表札取付面に形成している表札取付け用プレートとからなり、上記支持プレートを上記表札配設凹部内に配設した状態で固定すると共に、表札取付け用プレートを上記パネルの前面から前方に突設させた状態で取付けるように構成している。
【０００７】
このように構成した表札装着用台板において、請求項２に係る発明は、上記表札取付け用プレートの縦幅及び横幅を表札の縦幅及び横幅よりも小寸法に形成していると共に、その下端に表札の下端面を受止する前方に向かった屈折した水平支持片を形成した構造としている。
【０００８】
また、請求項３に係る発明は、請求項１に記載の表札装着用台板における上記支持プレートの縦幅をパネルにおける表札配設凹部の前端開口部の縦幅よりも大きく、且つく、横幅を該表札配設凹部の横幅に略等しい寸法に形成していると共に、この支持プレートの上下端部を上記表札配設凹部の上下対向端面に設けている上下水平凹溝に挿入することによって取付けるように構成している。
【０００９】
さらに、請求項４に係る発明は、上記請求項１ないし請求項３に記載の発明において、上記スペーサ部材を支持プレート及び表札取付け用プレートよりも縦幅及び横幅共に小さい一定厚みを有する板材から形成し、このスペーサ部材の前面に固着した表札取付け用プレートの下端部を後面に固着した支持プレートの下端部よりも下方に突出させていると共に、スペーサ部材の下端面とこの下端面から下方に突出している表札取付け用プレート及び支持プレートとの対向面とで下向きに開口した係合溝を形成してこの係合溝に上記表札配設凹部の開口端における下端壁部の上端部を挿嵌させた状態で取付けるように構成している。
【発明の効果】
【００１０】
請求項１に記載の表札装着用台板によれば、建物の玄関等の外壁に装着したパネルにおける表札配設凹部内に取り付ける支持プレートと、この支持プレートの前面にスペーサ部材を介して固着され且つ前面を表札取付面に形成している表札取付け用プレートとからなり、上記支持プレートを上記表札配設凹部内に配設した状態で固定すると共に、表札取付け用プレートを上記パネルの前面から前方に突設させた状態で取付けるように構成しているので、表札取付け用プレート又はこの表札取付け用プレートに取付けた表札を把持して、この表札取付け用プレートの後面にスペーサ部材を介して一体に固着している上記支持プレートをパネルの表札配設凹部内に簡単に挿入、配設することができ、従って、表札配設凹部に対する支持プレートの取付作業が容易に且つ正確に行うことができると共にこの取付け状態においては表札取付け用プレートを表札配設凹部から前方側、即ち、上記パネルの前面から前方に突出した位置に配設することができる。
【００１１】
このように、表札取付け用プレートをパネルに設けている表札配設凹部から前方側に突設した状態で配設するので、パネルに設けている上記表札配設凹部の開口面積や深さに制限されることなくこの表札取付け用プレートの前面の表札取付面に表札配設凹部の大きさや深さよりも大きい面積と厚みを有する重厚な表札を取付けることができて見栄えの優れた外観を呈すると共に、大理石調等の豪華な表札の取付を可能にして上記パネルと良く調和させることができ、一目で名前の確認が可能な表札の取付構造を構成することができるものである。
【００１２】
また、請求項２に係る発明によれば、上記表札取付け用プレートの縦幅及び横幅を表札の縦幅及び横幅よりも小寸法に形成していると共に、その下端に表札の下端面を受止する前方に向かった屈折した水平支持片を形成しているので、この水平支持片上に表札の下端面を受止させた状態にして該表札の裏面を接着剤等により表札取付け用プレートの前面に簡単且つ正確に固着することができると共に、予め、表札取付け用プレートの前面に表札を取付けておくことができるので、建物の外壁に上記パネルを装着している現場において、この表札取付け用プレートの後面側に設けている上記支持プレートをパネルにおける表札配設凹部内に嵌め込む作業を行うだけで、簡単に施工することができる。
【００１３】
請求項３に係る発明によれば、上記支持プレートの縦幅を上記パネルにおける表札配設凹部の前端開口部の縦幅よりも広く、横幅を該表札配設凹部の横幅に略等しい寸法に形成していると共に、この支持プレートの上下端部を上記表札配設凹部の上下対向端面に設けている上下水平凹溝に挿入することによって取付けるように構成しているので、支持プレートの上端部を表札配設凹部の上側の水平凹溝内に挿入したのち下端部を下側の水平凹溝内に落とし込むことによって簡単且つ正確に取付けることができると共に取付けた状態においては支持プレートによって表札配設凹部を全面的に隠蔽して優れた外観を呈することができる。また、表札を交換する場合には、表札配設凹部の上下水平凹溝から支持プレートの上下端部を離脱させ、新たな表札装着用台板の支持プレートを表札配設凹部内に嵌め込む作業を行うだけで、容易に表札の交換を行うことができる。
【００１４】
上記請求項１乃至請求項３に記載の表札装着用台板において、請求項４に係る発明は、スペーサ部材を、支持プレート及び表札取付け用プレートよりも縦幅及び横幅共に小さい一定厚みを有する板材から形成し、このスペーサ部材の前面に固着した表札取付け用プレートの下端部を後面に固着した支持プレートの下端部よりも下方に突出させていると共に、スペーサ部材の下端面とこの下端面から下方に突出している表札取付け用プレート及び支持プレートとの対向面とで下向きに開口した係合溝を形成してこの係合溝に上記表札配設凹部の開口端における下端壁部の上端部を挿嵌させた状態で取付けるように構成しているので、パネルに設けている表札配設凹部内に支持プレートを挿入することによって、この支持プレートの前面側にスペーサ部材を介して一体に設けている表札取付け用プレートの下端部後面を表札配設凹部の開口端における下端壁部の前面に当接させることができ、従って、その状態から支持プレートの下端部を表札配設凹部の下側水平凹溝内に落とし込むことにより、この表札装着用台板をパネルに設けている表札配設凹部に簡単且つ正確に取付けることができる。
【００１５】
その上、この取付け状態においては、スペーサ部材の下端面及びこの下端面から下方に突出している表札取付け用プレートと支持プレートとの対向面とで形成している下向きに開口した係合溝に上記表札配設凹部の開口端における下端壁部の上端部を挿嵌させた形態となるので、表札装着用台板が妄動することなく固定して安定した表札の装着が可能となるものである。
【発明を実施するための最良の形態】
【００１６】
次に、本発明を実施するための最良の形態を図面について説明すると、表札装着用台板Ａは、図１〜図３に示すように、一定厚みを有する横長長方形状の支持プレート１と、この支持プレート１の前面中央部に固着した一定厚みを有する矩形状の板材からなるスペーサ部材２と、このスペーサ部材２の前面に後面中央部を固着している一定厚みを有する表札取付け用プレート３とからなり、この表札取付け用プレート３の前面を表札取付面3aに形成していると共に該表札取付け用プレート３の下端部を前方に向かって直角に屈折させて表札Ｂの下端面を受止する水平支持片3bに形成し、図４に示すように表札Ｂの後面を表札取付け用プレート３の前面に接着剤等によって固着するように構成している。
【００１７】
なお、上記支持プレート１やスペーサ部材２及び表札取付け用プレート３は鋼板等の金属板製であるが、硬質合成樹脂製であってもよい。また、支持プレート１とスペーサ部材２及び表札取付け用プレート３同士の固着は、図３に示すように、スペーサ部材２の前後面における両側部に螺子孔4a、4bを設ける一方、このスペーサ部材２の前面両側部に設けている螺子孔4a、4a間の間隔と同一間隔を存して表札取付け用プレート３の中央両側部に皿螺子挿通孔5a、5aを前後面間に貫通させた状態で設けると共に、スペーサ部材２の後面両側部に設けている螺子孔4b、4b間の間隔と同一間隔を存して支持プレート１の中央両側部に同じく皿螺子挿通孔5b、5bを設けてこれらの挿通孔5a、5bから皿螺子6a、6bをそれぞれ挿通してスペーサ部材２の螺子孔4a、4bに螺締した固着構造としているが、螺子による固着以外に接着剤等によって一体に固着してもよい。さらに、硬質合成樹脂製の場合には、支持プレート１やスペーサ部材２及び表札取付け用プレート３は一体成形品としておいてもよい。
【００１８】
一方、建物における玄関近傍部分の外壁Ｃに装着、固定されているパネル10の構造は、周知のように、縦長長方形状に形成されていて図５にその要部を示すように、両側端部に前方に向かって一定高さの縦枠部10a 、10a を全長に亘って一体に設けていると共にこれらの両側縦枠部10a 、10a 間の前面を上下方向に所望間隔毎に水平枠部10b によって区画し、上下に隣接する水平枠部10b 、10b 間で区画された上端部側の区画部前面に下向きに照光する照明具11を取付けていると共にこの照明具11の下方側の区画部前面に正面から見て横長長方形の表札配設凹部12を設けてあり、さらに、この表札配設凹部12の下方側の区画部前面にインターホン13が取付けられた構造を有している。
【００１９】
上記表札配設凹部12は、図５、図６に示すように、パネル10の両側縦枠部10a 、10a と上下に隣接する水平枠部10b 、10b とで囲まれたパネル前面の横長長方形状の空間部によって形成されてあり、上記上下水平枠部10b 、10b の対向端面に上記表札装着用台板Ａにおける支持プレート１の上下端部をそれぞれ挿入可能な水平凹溝14、15を形成している。さらに、これらの水平凹溝14、15の内側壁面を表札配設凹部12の前面、即ち、パネル10の前面に面一となるように形成している。従って、上下水平枠部10b 、10b は断面Ｌ字状に形成されている。
【００２０】
表札装着用台板Ａにおける支持プレート１の厚みは上記表札配設凹部12における上下水平凹溝14、15の溝幅よりも薄く形成していると共に、該支持プレート１の横幅は表札配設凹部12の横幅、即ち、両側縦枠部10a 、10a の対向内側面間の幅に略等しい寸法に形成されてあり、さらに、縦幅は表札配設凹部12の前端開口部、即ち、上下水平枠部10b 、10b の対向端面間の縦幅よりも幅広く、且つ上下水平凹溝14、15の溝底間の寸法よりも狭い幅であって、この支持プレート１の上端部を上側の水平凹溝14内に挿入した際に、該支持プレート１の下端面が下側水平凹溝15の開口上端から上方に位置して該下端部をこの下側水平凹溝15内に落とし込み可能な縦幅に形成されている。
【００２１】
表札装着用台板Ａにおける上記スペーサ部材２の厚みは、上記上下水平凹溝14、15を形成している上下水平枠部10b 、10b の厚み、即ち、上下水平凹溝14、15の外側壁面と上下水平枠部10b 、10b の前面間の壁部10b'、10b'の厚みに略等しい厚みに形成されていると共に、上記支持プレート１や表札取付け用プレート３よりも縦幅及び横幅共に小さい縦幅と横幅とに形成されていて、その四方端面から支持プレート１や表札取付け用プレート３の外周部を外方に向かって互いに平行に突出させている。
【００２２】
また、上記表札取付け用プレート３は、その縦幅を支持プレート１や表札配設凹部12の縦幅よりも大きい寸法、即ち、表札配設凹部12に挿入できない幅寸法に形成されていて、その上下端部の後面を表札配設凹部12の上下水平枠部10b 、10b における上記壁部10b'、10b'の前面に当接、受止させるようにしていると共に、スペーサ部材２の下端面に対してその下端部を支持プレート１の下端部よりも小寸法だけ下方に突出させた状態でスペーサ部材２の前面に固着してあり、スペーサ部材２の水平な下端面とこの下端面の前後から下方に突出している支持プレート１の下端部及び表札取付け用プレート３の下端部とで囲まれた空間部を下向きに開口した係合溝７に形成している。
【００２３】
同様に、スペーサ部材２の水平な上端面とこの上端面の前後から上方に突出している支持プレート１の上端部及び表札取付け用プレート３の上端部とで囲まれた空間部を上向きに開口した係合溝８に形成している。なお、表札取付け用プレート３の横幅は、支持プレート１の横幅よりも狭い幅に形成されてあり、さらに、この表札取付け用プレート３の縦幅、横幅ともに表札Ｂの縦幅、横幅よりもそれぞれ小幅に形成されている。また、この表札取付け用プレート３の下端部に形成している上記水平支持片3bの突出幅は、表札Ｂの厚みよりも小さい寸法に形成されている。
【００２４】
次に、上記のように形成した表札装着用台板Ａを建物における玄関近傍部分の外壁Ｃに装着、固定されているパネル10の表札配設凹部12に取付けるには、表札取付け用プレート３を把持して該表札取付け用プレート３の後面にスペーサ部材２を介して一体に固着している支持プレート１を上記表札配設凹部12の開口端に臨ませ、まず、スペーサ部材２の後面上端から上方に突出しているこの支持プレート１の上端部を表札配設凹部12の上側水平凹溝14内に挿入する。そうすると、スペーサ部材２の後面下端から下方に突出しているこの支持プレート１の下端部が下側水平枠部10b における壁部10b'の上端面よりも上方に位置してこの壁部10b'を容易に乗り越えさせることができる。
【００２５】
この際、支持プレート１の横幅をパネル10の両側縦枠部10a 、10a の対向内側面間の幅寸法に略等しく形成しているので、表札配設凹部12内への挿入時には、該支持プレート１の量が両側端面がパネル10の両側縦枠部10b 、10b の対向内側面をガイドとしてこの対向内側面に摺接するようにして円滑に表札配設凹部12内に挿入することができ、さらに、支持プレート１が表札配設凹部12内に完全に挿入された時には、表札取付け用プレート３の上下端部の後面がパネル10の上下水平枠部10b 、10b の壁部10b'、10b'の前面に当接して支持プレート１が表札配設凹部12内の所定位置に垂直状態で正確に挿入した状態を保持する。
【００２６】
この状態から表札装着用台板Ａ全体を下方に移動させると、スペーサ部材２の水平な下端面とこの下端面の前後からそれぞれ下方に突出した支持プレート１の下端部及び表札取付け用プレート３の下端部対向面とで形成している下向き開口の係合溝７に下側水平枠部10b の壁部10b'が挿嵌し、該壁部10b'の上端面が係合溝16の溝底に当接してそれ以上の下動が阻止され、表札装着用台板Ａが表札配設凹部12に対して所定の位置に正確に取付けられると共に上向く開口の係合溝８内に上側水平枠部10b の壁部10b'の下端部が係合した状態となる。さらに、係合溝７を形成している支持プレート１の下端部と表札取付け用プレート３の下端部との対向面で下側水平枠部10b の壁部10b'が挟着された状態となり、表札装着用台板Ａはがたつくことなく、強固に取付けられる。
【００２７】
なお、下側水平枠部10b の壁部10b'の上端面でスペーサ部材２の下端面を受止させることなく、支持プレート１の下端面を下側水平凹溝15の溝底面に当接、受止させる取付構造としておいてもよい。この場合には、上側水平凹溝14の深さを下側水平凹溝15の深さよりも深くしておき、支持プレート１の上端部を上側水平凹溝14に大きく挿入して該支持プレート１の下端面を下側水平枠部10b の壁部10b'を乗り越えさせたのち、支持プレート１の下端部を下側水平凹溝15内に落とし込んでその下端面をこの凹溝15の溝底に当接、受止させることによって、表札装着用台板Ａの取付けを行う。
【００２８】
また、表札配設凹部12に表札装着用台板Ａを取付ける前に、この表札装着用台板Ａの表札取付け用プレート３の表札取付面3aに表札Ｂの後面を接着剤によって固着することにより取付けておいてもよく、表札配設凹部12に表札装着用台板Ａを取付けたのち、表札取付け用プレート３の表札取付面3aに表札Ｂの後面を接着剤によって固着してもよい。いずれの場合においても、表札Ａの厚みや大きさがパネル10に設けているこの表札配設凹部12の大きさや深さに制限を受けることなく所望厚みで且つ所望大きさの表札Ｂを取付けることができる。さらに、表札Ｂの下端面を表札取付け用プレート３の下端部に前方に向かって突設している水平支持片3b上に受止させた状態にして該表札Ｂの後面を表札取付け用プレート３の表札取付面3aに固着するのるので、位置決めすることなく簡単且つ正確に取付けることができる。
【図面の簡単な説明】
【００２９】
【図１】本発明の表札装着用台板の斜視図。
【図２】その側面図。
【図３】正面図。
【図４】表札を取付けた状態の斜視図。
【図５】パネルにおける表札配設凹部に取付けた状態の斜視図。
【図６】その表札凹部部分の縦断側面図。
【符号の説明】
【００３０】
Ａ  表札装着用台板
Ｂ  表札
１  支持プレート
２  スペーサ部材
３  表札取付け用プレート
3a  表札取付面
3b  水平支持片
７  係合溝
10  パネル
12  表札配設凹部
14、15  水平凹溝
【図１】
2006162845.tif 000003
【図２】
2006162845.tif 000004
【図３】
2006162845.tif 000005
【図４】
2006162845.tif 000006
【図５】
2006162845.tif 000007
【図６】
2006162845.tif 000008